(57)【要約】【課題】  上下が反転されて入力される画像の画像データを逆方向に副走査して表示するとき、合成する画像の上下反転を解消することができる表示装置および表示方法を提供する。【解決手段】  ＣＰＵ１１は、ＲＡＭ１３に記憶された初期設定情報に含まれるスキャン方向情報が、副走査の向きが逆方向であることを示しているとき、ＲＡＭ１３から内部表示データを読み出し、読み出した内部表示データの上下を反転させて、上下が反転された反転映像データを作成し、作成した反転映像データを映像処理部１４に送る。映像処理部１４は、反転映像データを外部入力映像データに合成し、反転映像データが合成された外部入力映像データをＬＣＤコントローラ１５に送る。ＬＣＤコントローラ１５は、反転された外部入力映像データを逆方向の副走査でＬＣＤパネル１６に送って画面に表示させる。【選択図】      図１
2013142868.tif 000002
【特許請求の範囲】
【請求項１】
他の表示装置と上下方向に隣接して配置されてマルチディスプレイを構成する表示装置であって、
水平方向の主走査と垂直方向の副走査とによって、画像を表示する表示部と、
表示すべき第１の画像を表す第１の画像データを取得する取得部と、
第１の画像に合成するための第２の画像を表す第２の画像データと、水平方向の主走査を垂直方向に順次ずらして行う副走査の向きが上から下に向う順方向で表示させるか下から上に向う逆方向で表示させるかを示す走査方向情報とを記憶する記憶部と、
記憶部に記憶される走査方向情報が示す向きが順方向であるとき、取得部によって取得された第１の画像データに、記憶部に記憶される第２の画像データを合成した合成画像データを生成し、記憶部に記憶される走査方向情報が示す向きが逆方向であるとき、取得部によって取得された第１の画像データに、記憶部に記憶される第２の画像データを、上下方向を反転して合成した合成画像データを生成する合成部と、
合成部によって生成された合成画像データが表す合成画像を、記憶部に記憶される走査方向情報が示す向きに副走査を行って表示部に表示させる表示制御部とを含むことを特徴とする表示装置。
【請求項２】
前記取得部によって取得された第１の画像データを記憶する第２の記憶部をさらに含み、
前記合成部は、前記記憶部に記憶される第２の画像データを第２の記憶部に記憶される第１の画像データに上書きすることによって、前記合成画像データを生成し、
前記表示制御部が、前記記憶部に記憶される走査方向情報が示す向きに垂直方向の副走査を行って前記表示部に表示させる合成画像は、第２の記憶部に記憶される合成画像データが表す合成画像であることを特徴とする請求項１に記載の表示装置。
【請求項３】
他の表示装置と上下方向に隣接して配置されてマルチディスプレイを構成する表示装置であって、水平方向の主走査と垂直方向の副走査とによって、画像を表示する表示部と、表示すべき第１の画像に合成するための第２の画像を表す第２の画像データ、および、水平方向の主走査を垂直方向に順次ずらして行う副走査の向きが上から下に向う順方向で表示させるか下から上に向う逆方向で表示させるかを示す走査方向情報を記憶する記憶部とを含む表示装置で実行される表示方法であって、
第１の画像を表す第１の画像データを取得する取得ステップと、
記憶部に記憶される走査方向情報が示す向きが順方向であるとき、取得ステップで取得された第１の画像データに、記憶部に記憶される第２の画像データを合成した合成画像データを生成し、記憶部に記憶される走査方向情報が示す向きが逆方向であるとき、取得ステップで取得された第１の画像データに、記憶部に記憶される第２の画像データを、上下方向を反転して合成した合成画像データを生成する合成ステップと、
合成ステップで生成された合成画像データが表す画像を、記憶部に記憶される走査方向情報が示す向きに副走査を行って表示部に表示させる表示ステップとを含むことを特徴とする表示方法。
【発明の詳細な説明】
【技術分野】
【０００１】
本発明は、マルチディスプレイを構成する表示装置および表示方法に関する。
【背景技術】
【０００２】
複数のディスプレイを用いたマルチディスプレイにおいて、すべてのディスプレイを同方向のスキャンで表示すると、ディスプレイの応答性によって、隣接するディスプレイの表示画像が、隣接するディスプレイの境界線付近で連続していないように見えることがある。
【０００３】
図６は、画面を分割した場合の第１の問題を説明するための図である。図６（ａ）は、１台のディスプレイ９１で、上から下までスキャンして画像を表示する例を示している。すなわち、図６（ａ）に示した例は、左端から右端までの水平方向の主走査を、上から下への垂直方向に副走査を行っている例を示している。図６（ｂ）は、ディスプレイ９１を上下に２つに分割したディスプレイ９２，９３でそれぞれ、上から下までスキャンする例を示している。
【０００４】
下側のディスプレイ９３でのスキャン開始は、上側のディスプレイ９２のスキャン開始と同時に開始される。マルチディスプレイは、ディスプレイ９２とディスプレイ９３とが上下方向の中央部で接触している境界線において、上側のディスプレイ９２での最下端のスキャン９２１と下側のディスプレイ９３での最上端のスキャン９３１とに、スキャンの時間差が生じて、結果的に、境界線の上下で、時間的にずれた画像が表示されるという第１の問題がある。
【０００５】
図７は、第１の問題を解決するための対策によって発生する第２の問題を説明するための図である。図７に示した例は、第１の問題を解決するために、隣接するディスプレイ９２，９３でのスキャン方向を相互に逆転させている。具体的には、ディスプレイ９３の副走査の向きを逆にして、下から上へスキャンしている。ディスプレイ９３で逆スキャンすることによって、ディスプレイ９２，９３の境界線の上下でのスキャンが同時に行われる。
【０００６】
図７（ａ）は、ディスプレイ９３の副走査の向きを逆にして、下から上へスキャンしているので、ディスプレイ９３に表示されている画像の上下が反転している。また、ディスプレイ９３で合成されて表示されているオンスクリーンディスプレイ（On-Screen Display：以下「ＯＳＤ」という）画像９３２も、ディスプレイ９３では、上下反転した状態となっている。
【０００７】
図７（ｂ）は、図７（ａ）に示したディスプレイ９３に上下反転させた画像データを入力して、スキャンを下から上に行って表示した例である。図７（ｂ）では、上下反転させた画像を、逆方向、つまり下から上にスキャン（以下「逆スキャン」という）しているので、画像の上下は元に戻った状態で表示されている。しかし、ディスプレイ９３で合成されて表示されているＯＳＤ画像９３２は、上下反転した状態のままである。これは、上下反転した画像にＯＳＤ画像９２２を合成し、その後、逆スキャンして表示するので、ＯＳＤ画像９３２が上下反転するからである。ＯＳＤ画像９３２が上下反転されて表示されることが、第２の問題である。
【０００８】
図８は、分割前の画像９５をディスプレイ９１に表示した図である。図９は、第１の問題に対する対策を適用しない場合について、上下に隣接した２台のディスプレイ９２，９３でのスキャンを説明するための図である。図９では、図８に示した画像９５を上下に分割して、ディスプレイ９２，９３に表示している。図９（ａ）は、ＯＳＤ画像が合成されていない例であり、図９（ｂ）は、ＯＳＤ画像９３３が合成されている画像である。
【０００９】
ディスプレイ９２，９３には、ハブ（以下「ＨＵＢ」という）９９からそれぞれ画像データが送信される。ＨＵＢ９９は、映像信号を画像データとして、各ディスプレイ９２，９３に送信する装置である。
【００１０】
ディスプレイ９２，９３は、副走査を上から下に行うとき、同時に、最上端から開始し、同時に最下端で終了する。したがって、最上端のスキャンと最下端とのスキャンとには、スキャン開始から終了までの所要時間の分だけ時間差が生じる。したがって、ディスプレイ９２，９３の境界線の上下では、画像の表示に時間差が生じ、表示画像が不連続になって見える。この場合、ＯＳＤ画像９３３は、上下反転することはない。
【００１１】
図１０は、第１の問題に対する対策である画像反転および逆スキャンを説明するための図である。図１０（ａ）は、図９（ａ）に示したＨＵＢ９９とディスプレイ９３との間に、画像の上下を反転する画像上下反転部９８を設けた構成を示している。図１０（ｂ）は、図９（ｂ）に示したＨＵＢ９９とディスプレイ９３との間に画像上下反転部９８を設けた構成を示している。
【００１２】
ディスプレイ９３は、逆スキャンを行っているので、図１０（ａ），（ｂ）のいずれでも、ディスプレイ９２，９３の境界線の上下で表示画像が不連続になって見えることはない。また、図１０（ａ）では、ＯＳＤ画像が合成されていないので、ＯＳＤ画像が上下反転するという第２の問題は発生しない。しかし、図１０（ｂ）では、図９（ｂ）に示したＯＳＤ画像９３３が、上下反転してＯＳＤ画像９３４と表示されている。
【００１３】
このように、逆スキャンするディスプレイ９３に送られる画像を、予め上下逆転させておくことによって、隣接するディスプレイ９２，９３の境界線付近で生じる画像の不連続を解消することはできるが、画面案内などディスプレイで合成されて表示されるＯＳＤ画像は、上下逆転して表示される。
【００１４】
逆スキャンを行う第１の従来技術として、特許文献１に記載されるマルチプロジェクションディスプレイがある。このマルチプロジェクションディスプレイは、上下の継ぎ目の部分での表示のずれを解消するために、隣接する投射画像を投射する各プロジェクタにおける垂直走査の方向を互いに反対方向とする。
【００１５】
第２の従来技術として、特許文献２に記載される画像表示装置がある。この画像表示装置は、ディスプレイ区分間の遷移部で新たな画像情報の知覚同士が適正に一致するようにするために、垂直方向で隣接するディスプレイ区分を互いに垂直方向で逆の方向に走査する。
【００１６】
第３の従来技術として、特許文献３に記載されるマルチ映像表示システムがある。このマルチ映像表示システムは、画像表示装置の隣接部における動画像の不連続感を低減するために、上下に隣接した画像表示装置を互いに１８０度回転した位置関係に配置する。
【００１７】
第４の従来技術として、特許文献４に記載される映像拡大表示装置がある。この映像拡大表示装置は、複数の受信機からなる受信装置を含み、記憶された順に読み出しされる分割画像信号を再生する受信機では、分割画像信号を順方向へ垂直走査し受信するとともに、記憶された逆順に読み出しされる分割画像信号を再生する受信機では、分割画像信号を逆方向へ垂直走査し受信する。
【先行技術文献】
【特許文献】
【００１８】
【特許文献１】特開２００６−３３０３２９号公報
【特許文献２】特開平５−２０４３４５号公報
【特許文献３】特開平４−３４９４９２号公報
【特許文献４】特開平３−１１４３７４号公報
【発明の概要】
【発明が解決しようとする課題】
【００１９】
第１〜第４の従来技術のいずれも、逆スキャンを利用することによって、上下に隣接するディスプレイの境界付近での画像の不連続を解消するものであるが、表示装置側で画像を合成する場合、合成した画像が逆スキャンされて、上下が反転するという第２の問題を解消することはできない。
【００２０】
本発明の目的は、上下が反転されて入力される画像の画像データを逆方向に副走査して表示するとき、合成する画像の上下反転を解消することができる表示装置および表示方法を提供することである。
【課題を解決するための手段】
【００２１】
本発明は、他の表示装置と上下方向に隣接して配置されてマルチディスプレイを構成する表示装置であって、
水平方向の主走査と垂直方向の副走査とによって、画像を表示する表示部と、
表示すべき第１の画像を表す第１の画像データを取得する取得部と、
第１の画像に合成するための第２の画像を表す第２の画像データと、水平方向の主走査を垂直方向に順次ずらして行う副走査の向きが上から下に向う順方向で表示させるか下から上に向う逆方向で表示させるかを示す走査方向情報とを記憶する記憶部と、
記憶部に記憶される走査方向情報が示す向きが順方向であるとき、取得部によって取得された第１の画像データに、記憶部に記憶される第２の画像データを合成した合成画像データを生成し、記憶部に記憶される走査方向情報が示す向きが逆方向であるとき、取得部によって取得された第１の画像データに、記憶部に記憶される第２の画像データを、上下方向を反転して合成した合成画像データを生成する合成部と、
合成部によって生成された合成画像データが表す合成画像を、記憶部に記憶される走査方向情報が示す向きに副走査を行って表示部に表示させる表示制御部とを含むことを特徴とする表示装置である。
【００２２】
また本発明は、前記取得部によって取得された第１の画像データを記憶する第２の記憶部をさらに含み、
前記合成部は、前記記憶部に記憶される第２の画像データを第２の記憶部に記憶される第１の画像データに上書きすることによって、前記合成画像データを生成し、
前記表示制御部が、前記記憶部に記憶される走査方向情報が示す向きに垂直方向の副走査を行って前記表示部に表示させる合成画像は、第２の記憶部に記憶される合成画像データが表す合成画像であることを特徴とする。
【００２３】
また本発明は、他の表示装置と上下方向に隣接して配置されてマルチディスプレイを構成する表示装置であって、水平方向の主走査と垂直方向の副走査とによって、画像を表示する表示部と、表示すべき第１の画像に合成するための第２の画像を表す第２の画像データ、および、水平方向の主走査を垂直方向に順次ずらして行う副走査の向きが上から下に向う順方向で表示させるか下から上に向う逆方向で表示させるかを示す走査方向情報を記憶する記憶部とを含む表示装置で実行される表示方法であって、
第１の画像を表す第１の画像データを取得する取得ステップと、
記憶部に記憶される走査方向情報が示す向きが順方向であるとき、取得ステップで取得された第１の画像データに、記憶部に記憶される第２の画像データを合成した合成画像データを生成し、記憶部に記憶される走査方向情報が示す向きが逆方向であるとき、取得ステップで取得された第１の画像データに、記憶部に記憶される第２の画像データを、上下方向を反転して合成した合成画像データを生成する合成ステップと、
合成ステップで生成された合成画像データが表す画像を、記憶部に記憶される走査方向情報が示す向きに副走査を行って表示部に表示させる表示ステップとを含むことを特徴とする表示方法である。
【発明の効果】
【００２４】
本発明によれば、他の表示装置と上下方向に隣接して配置されてマルチディスプレイを構成する表示装置で画像を表示するにあたって、表示部は、画像を表示する。取得部は、表示すべき第１の画像を表す第１の画像データを取得する。記憶部は、第１の画像に合成するための第２の画像を表す第２の画像データと、水平方向の主走査を垂直方向に順次ずらして行う副走査の向きが上から下に向う順方向で表示させるか下から上に向う逆方向で表示させるかを示す走査方向情報とを記憶する。合成部は、記憶部に記憶される走査方向情報が示す向きが順方向であるとき、取得部によって取得された第１の画像データに、記憶部に記憶される第２の画像データを合成した合成画像データを生成し、記憶部に記憶される走査方向情報が示す向きが逆方向であるとき、取得部によって取得された第１の画像データに、記憶部に記憶される第２の画像データを、上下方向を反転して合成した合成画像データを生成する。そして、表示制御部は、合成部によって生成された合成画像データが表す合成画像を、記憶部に記憶される走査方向情報が示す向きに副走査を行って表示部に表示させる。したがって、表示装置は、上下が反転されて入力される画像の画像データを逆方向に副走査して表示するとき、合成する画像の上下反転を解消することができる。
【００２５】
また本発明によれば、第２の記憶部は、前記取得部によって取得された第１の画像データを記憶する。前記合成部は、前記記憶部に記憶される第２の画像データを第２の記憶部に記憶される第１の画像データに上書きすることによって、前記合成画像データを生成する。そして、前記表示制御部が、前記記憶部に記憶される走査方向情報が示す向きに垂直方向の副走査を行って前記表示部に表示させる合成画像は、第２の記憶部に記憶される合成画像データが表す合成画像である。したがって、表示装置は、第２の画像データの合成を簡単に行うことができる。
【００２６】
また本発明によれば、他の表示装置と上下方向に隣接して配置されてマルチディスプレイを構成する表示装置であって、水平方向の主走査と垂直方向の副走査とによって、画像を表示する表示部と、表示すべき第１の画像に合成するための第２の画像を表す第２の画像データ、および、水平方向の主走査を垂直方向に順次ずらして行う副走査の向きが上から下に向う順方向で表示させるか下から上に向う逆方向で表示させるかを示す走査方向情報を記憶する記憶部とを含む表示装置で表示方法を実行するにあたって、取得ステップでは、第１の画像を表す第１の画像データを取得する。合成ステップでは、記憶部に記憶される走査方向情報が示す向きが順方向であるとき、取得ステップで取得された第１の画像データに、記憶部に記憶される第２の画像データを合成した合成画像データを生成し、記憶部に記憶される走査方向情報が示す向きが逆方向であるとき、取得ステップで取得された第１の画像データに、記憶部に記憶される第２の画像データを、上下方向を反転して合成した合成画像データを生成する。そして、表示ステップでは、合成ステップで生成された合成画像データが表す画像を、記憶部に記憶される走査方向情報が示す向きに副走査を行って表示部に表示させる。したがって、表示方法は、上下が反転されて入力される画像の画像データを逆方向に副走査して表示するとき、合成する画像の上下反転を解消することができる。
【図面の簡単な説明】
【００２７】
【図１】本発明の一実施形態であるディスプレイ１０の構成を示すブロック図である。
【図２】表示システム１が画像３１を表示した表示例を示す図である。
【図３】表示システム１での画像反転および逆スキャンを説明するための図である。
【図４】表示システム１での表示処理を画像イメージで説明するための図である。
【図５】ディスプレイ１０による表示処理の処理手順を示すフローチャートである。
【図６】面を分割した場合の第１の問題を説明するための図である。
【図７】第１の問題を解決するための対策によって発生する第２の問題を説明するための図である。
【図８】分割前の画像９５をディスプレイ９１に表示した図である。
【図９】第１の問題に対する対策を適用しない場合について、上下に隣接した２台のディスプレイ９２，９３でのスキャンを説明するための図である。
【図１０】第１の問題に対する対策である画像反転および逆スキャンを説明するための図である。
【発明を実施するための形態】
【００２８】
図１は、本発明の一実施形態であるディスプレイ１０の構成を示すブロック図である。ディスプレイ１０は、表示システム１に含まれる。本発明に係る表示方法は、ディスプレイ１０によって実行される。図１には、ディスプレイ１０として、１つのディスプレイ１０のみを示しているが、表示システム１は、複数のディスプレイ１０によって構成されるマルチディスプレイシステムである。表示システム１は、複数のディスプレイ１０のほかに、映像出力装置２０を含んで構成される。
【００２９】
映像出力装置２０は、たとえばパーソナルコンピュータ、テレビジョン放送受信装置、あるいは画像再生装置などによって構成される。映像出力装置２０は、各ディスプレイ１０に表示させる画像を映像信号として、各ディスプレイ１０に送信する。映像出力装置２０は、各ディスプレイ１０に送信する映像信号のうち、逆スキャンを行うディスプレイ１０に送信する映像信号は、上下が反転された画像の映像信号である。映像出力装置２０から映像信号として送信されてくる画像データが、第１の画像データである。映像出力装置２０から映像信号として送信されてくる画像データによって表される画像が、第１の画像である。
【００３０】
水平方向の走査が主走査であり、主走査を垂直方向に行う走査が副走査である。副走査の向きには、主走査を上から下へ向う順方向と、主走査を下から上へ向う逆方向がある。逆スキャンは、副走査を下から上へ逆方向に行うことである。上下方向に隣接するディスプレイ１０は、副走査の向きが互いに異なるように設定され、設定されている状態が、後述するスキャン方向情報として、各ディスプレイ１０に予め記憶されている。
【００３１】
表示装置であるディスプレイ１０は、中央処理装置（Central Processing Unit：以下「ＣＰＵ」という）１１、リードオンリーメモリ（Read Only Memory：以下「ＲＯＭ」という）１２、ランダムアクセスメモリ（Random Access Memory：以下「ＲＡＭ」という）１３、映像処理部１４、液晶ディスプレイ（Liquid Crystal Display：以下「ＬＣＤ」という）コントローラ１５およびＬＣＤパネル１６を含んで構成される。
【００３２】
ＣＰＵ１１は、ＲＯＭ１２に記憶されるプログラムを実行することによって、映像処理部１４およびＬＣＤコントローラ１５を制御する。ＲＯＭ１２は、ＣＰＵ１１によって実行されるプログラム、および初期設定情報および内部表示データが記憶される。記憶部および第２の記憶部であるＲＡＭ１３は、ＣＰＵ１１がＲＯＭ１２に記憶されるプログラムを実行するために必要な情報を記憶する。ＲＡＭ１３に記憶される情報は、ＣＰＵ１１によって書き込みおよび読み出しが行われる。
【００３３】
ＲＯＭ１２に記憶される初期設定情報は、ディスプレイ１０の電源投入直後に実行される初期設定処理で、ＣＰＵ１１によってＲＯＭ１２から読み出され、ＲＡＭ１３に書き込まれる。初期設定情報は、たとえばスキャン方向情報を含む。走査方向情報であるスキャン方向情報は、水平方向の主走査を垂直方向に順次ずらして行う副走査の向きが、上から下に向う順方向で表示させるか、下から上に向う逆方向であるかを、上下方向に隣接するディスプレイ１０で互いに異なるように予め設定された情報である。
【００３４】
内部表示データは、オンスクリーンディスプレイ（On-Screen Display：以下「ＯＳＤ」という）データおよびに画面案内表示データを含む。ＯＳＤは、映像処理部１４から送信されてくる映像信号によって表される画像に、内部表示データによって表される画像を合成して表示することである。ＯＳＤデータは、映像処理部１４から送信されてくる映像信号によって表される画像に合成するための画像を表す画像データである。画面案内表示データは、操作画面などの画面に表示するための画面案内表示、たとえば入力信号の種類や音量などの機器情報の案内を表示するためデータである。内部表示データが、第２の画像データである。内部表示データによって表される画像が、第２の画像である。
【００３５】
取得部である映像処理部１４は、ＯＳＤ機能を有する。映像処理部１４は、映像出力装置２０から映像信号として送信されてくる画像データを受信し、ＣＰＵ１１からの指示によってＯＳＤ機能を動作させて、受信した画像データに、ＣＰＵ１１から受け取る画像データを合成し、合成した画像データをＬＣＤコントローラ１５に送る。以下、合成した画像データのことを、合成画像データという。ＣＰＵ１１および映像処理部１４は、合成部を構成する。
【００３６】
表示制御部であるＬＣＤコントローラ１５は、ＣＰＵ１１から指示されるスキャン方向で副走査を行って、映像処理部１４から受け取る画像データをＬＣＤパネル１６に送って表示させる。表示部であるＬＣＤパネル１６は、たとえば液晶ディスプレイによって構成される。ＬＣＤパネル１６は、ＬＣＤコントローラ１５から受け取る画像データを画像として画面に表示する。
【００３７】
図２は、表示システム１が画像３１を表示した表示例を示す図である。以下、説明を簡略にするために、表示システム１が上下に隣接して配置される２台のディスプレイ１０ａ，１０ｂによって構成される例を用いて説明するが、表示システム１はこの例に限定されるものではなく、３台以上のディスプレイ１０によって構成されてもよい。図２は、ディスプレイ１０ａ，１０ｂが、画像３１が上下に分割された分割画像３１ａ，３２ｂをそれぞれ表示している例である。
【００３８】
図７（ｂ）に示した従来技術による下側のディスプレイ９３では、ＯＳＤ画像９３２は、上下反転しているが、図２（ｂ）に示した下側のディスプレイ１０ｂでは、ＯＳＤ画像３２ｂは、上下が反転することなく正しく表示されている。ディスプレイ１０ｂは、スキャン方向情報に基づいて、ＯＳＤ画像３２ｂを上下反転させて、映像出力装置２０から映像信号として送信されてくる反転された画像データに合成し、合成した画像データを逆スキャンで表示するので、ＯＳＤ画像３２ｂを正しく表示することができる。
【００３９】
図３は、表示システム１での画像反転および逆スキャンを説明するための図である。映像出力装置２０は、ハブ（以下「ＨＵＢ」という）２１および画像上下反転部２２を含んで構成される。ＨＵＢ２１は、マルチディスプレイを構成する複数のディスプレイ１０にそれぞれ割り当てるために、１つの画像を分割し、分割した分割画像を表す画像データを各ディスプレイ１０に送信する。
【００４０】
画像上下反転部２２は、ＨＵＢ２１から各ディスプレイに送信する分割画像のうち、逆スキャンを行うディスプレイ１０に送信する分割画像の上下を反転する。図３に示した例では、ディスプレイ１０ｂに送信される分割画像の画像データが、画像上下反転部２２によって、上下反転される。
【００４１】
画像上下反転部２２は、ビデオＲＡＭ（Video RAM：略称「ＶＲＡＭ」）などのフレームメモリを有しており、画像データを主走査単位でフレームメモリに書き込むとき、書き込むメモリアドレスを上昇順で書き込み、画像データを主走査単位でフレームメモリから読み出すとき、読み出すメモリアドレスを下降順で読み出すことによって、画像データによって表される画像の上下を反転する。
【００４２】
ディスプレイ１０ａは、順方向で副走査を行うが、ディスプレイ１０ｂは、逆スキャン、つまり逆方向で副走査を行う。ディスプレイ１０ｂに送信される画像データは、画像上下反転部２２によって上下反転しているが、ディスプレイ１０ｂが逆スキャンを行うので、上下が反転されていない画像が表示される。
【００４３】
図４は、表示システム１での表示処理を画像イメージで説明するための図である。ＨＵＢ２１は、画像３３を上下に分割し、分割画像３３ａ，３３ｂを生成する。画像上下反転部２２は、分割画像３３ｂの上下を反転し、上下が反転した分割画像３３ｃを生成する。分割画像３３ａは、ディスプレイ１０ａに送信され、上下が反転された分割画像３３ｃは、ディスプレイ１０ｂに送信される。
【００４４】
ディスプレイ１０ａでは、映像処理部１４は、映像出力装置２０から受信した分割画像３３ａをＬＣＤコントローラ１５に送る。ＣＰＵ１１は、ＲＡＭ１３に記憶されるスキャン方向情報を参照し、副走査の向きが順方向であるので、順方向の副走査をＬＣＤコントローラ１５に指示する。ＬＣＤコントローラ１５は、ＣＰＵ１１から順方向の副走査を指示されたので、映像処理部１４から受け取った分割画像３３ａを順方向に副走査して、ＬＣＤパネル１６に送って画面に表示させる。
【００４５】
ディスプレイ１０ｂでは、ＣＰＵ１１は、ＲＡＭ１３からＯＳＤデータを読み出し、読み出したＯＳＤデータが表すＯＳＤ画像３４ａの上下を反転させて、上下反転させたＯＳＤ画像３４ｂを生成し、生成した上下反転されたＯＳＤ画像３４ｂを映像処理部１４に送る。映像処理部１４は、映像出力装置２０から受信した上下反転された分割画像３３ｃに、ＣＰＵ１１から受け取った上下反転されたＯＳＤ画像３４ｂを合成し、合成した画像をＬＣＤコントローラ１５に送る。
【００４６】
ＣＰＵ１１は、ＲＡＭ１３に記憶されるスキャン方向情報を参照し、副走査の向きが逆方向であるので、逆スキャンをＬＣＤコントローラ１５に指示する。ＬＣＤコントローラ１５は、ＣＰＵ１１から逆スキャンを指示されたので、映像処理部１４から受け取った合成した画像を逆方向に副走査して、ＬＣＤパネル１６に送って画面に表示させる。ディスプレイ１０ｂに表示された分割画像３３ｄおよびＯＳＤ画像３４ｃは、ともに上下が反転することなく正しく表示されている。
【００４７】
図５は、ディスプレイ１０による表示処理の処理手順を示すフローチャートである。表示処理は、各ディスプレイ１０が、分割画像を表示する処理であり、ＯＳＤデータや画面案内表示データがあるときは、それらのデータを分割画像に合成して表示する処理である。各ディスプレイ１０がマルチディスプレイとして構成されたとき、各ディスプレイ１０は、ステップＡ１に移る。
【００４８】
ステップＡ１では、ユーザがディスプレイ１０の電源を投入（以下「ＯＮ」という）すると、ステップＡ２に進む。ステップＡ２では、ＣＰＵ１１は、ＲＯＭ１２の設定値をＲＡＭ１３に展開する。具体的には、ＣＰＵ１１は、ＲＯＭ１２に記憶される設定値、つまり初期設定情報を読み出し、読み出した初期設定情報をＲＡＭ１３に書き込む。
【００４９】
ステップＡ３では、ＣＰＵ１１は、スキャン方向が反転しているか否かを判定する。ＣＰＵ１１は、ＲＡＭ１３に記憶された初期設定情報に含まれるスキャン方向情報が、副走査の向きが逆方向であることを示しているとき、スキャン方向が反転していると判定し、ステップＡ４に進み、ＲＡＭ１３に記憶された初期設定情報に含まれるスキャン方向情報が、副走査の向きが順方向であることを示しているとき、スキャン方向が反転していないと判定し、ステップＡ９に進む。
【００５０】
ステップＡ４では、ＣＰＵ１１は、ＯＳＤ／画面案内表示などの表示をするか否かを判定する。ＣＰＵ１１は、たとえばユーザが操作画面に表示されるメニューから内部表示データの表示を選択したとき、ＯＳＤ／画面案内表示などの表示をすると判定し、ステップＡ５に進み、ユーザが操作画面に表示されるメニューから内部表示データの表示を選択しなかったとき、ＯＳＤ／画面案内表示などの表示をしないと判定し、ステップＡ８に進む。
【００５１】
ステップＡ５では、ＣＰＵ１１は、内部表示データをＲＡＭ１３に展開する。具体的には、ＣＰＵ１１は、ＲＯＭ１２に記憶される内部表示データを読み出し、読み出した内部表示データをＲＡＭ１３に書き込む。ステップＡ６では、ＣＰＵ１１は、内部表示データの反転映像データを作成する。具体的には、ＣＰＵ１１は、ＲＡＭ１３から内部表示データを読み出し、読み出した内部表示データの上下を反転させて、上下が反転された反転映像データを作成し、作成した反転映像データを映像処理部１４に送る。
【００５２】
ステップＡ７では、映像処理部１４は、反転映像データを外部入力映像データに合成し、反転映像データが合成された外部入力映像データをＬＣＤコントローラ１５に送る。外部入力映像データは、映像出力装置２０から受信した画像データである。ステップＡ８では、ＬＣＤコントローラ１５は、反転された外部入力映像データを逆方向スキャンで表示し、表示処理を終了する。具体的には、ＬＣＤコントローラ１５は、映像処理部１４から受け取った外部入力映像データを、逆方向の副走査でＬＣＤパネル１６に送って画面に表示させて、表示処理を終了する。
【００５３】
ステップＡ９では、ＣＰＵ１１は、ＯＳＤ／画面案内表示などの表示をするか否かを判定する。ＣＰＵ１１は、たとえばユーザが操作画面に表示されるメニューから内部表示データの表示を選択したとき、ＯＳＤ／画面案内表示などの表示をすると判定し、ステップＡ１０に進み、ユーザが操作画面に表示されるメニューから内部表示データの表示を選択しなかったとき、ＯＳＤ／画面案内表示などの表示をしないと判定し、ステップＡ１２に進む。
【００５４】
ステップＡ１０では、ＣＰＵ１１は、内部表示データをＲＡＭ１３に展開する。具体的には、ＣＰＵ１１は、ＲＯＭ１２に記憶される内部表示データを読み出し、読み出した内部表示データをＲＡＭ１３に書き込む。ステップＡ１１では、映像処理部１４は、内部表示データを外部入力映像データに合成し、内部表示データが合成された外部入力映像データをＬＣＤコントローラ１５に送る。ステップＡ１２では、ＬＣＤコントローラ１５は、外部入力映像データを順方向スキャンで表示して、表示処理を終了する。具体的には、ＬＣＤコントローラ１５は、映像処理部１４から受け取った外部入力映像データを、順方向の副走査でＬＣＤパネル１６に送って画面に表示させて、表示処理を終了する。
【００５５】
ステップＡ７，Ａ１１は、取得ステップである。ステップＡ６，Ａ７，Ａ１１は、合成ステップである。ステップＡ８，Ａ１２は、表示ステップである。
【００５６】
上述した実施形態では、左端から右端までの水平方向の主走査を、上端から下端への垂直方向に副走査を行う場合を例にして説明したが、上端から下端までの垂直方向の主走査を、左端から右端への水平方向に副走査を行う場合についても適用可能である。すなわち、上端から下端までの垂直方向の主走査を、左端から右端への水平方向に副走査を行うディスプレイを水平方向に隣接してマルチディスプレイを構成する場合にも、左端から右端までの水平方向の主走査を、上端から下端への垂直方向に副走査を行う場合と同様の問題が発生する。この場合、水平方向に隣接する２つのディスプレイのうちの１つのディスプレイが、画像データの上下方向を反転する代わりに、画像データの左右方向を反転することによって、左端から右端までの水平方向の主走査を、上から下への垂直方向に副走査を行う場合と同様の効果を得ることができる。
【００５７】
このように、他のディスプレイ１０と上下方向に隣接して配置されてマルチディスプレイを構成するディスプレイ１０で画像を表示するにあたって、ＬＣＤパネル１６は、画像を表示する。映像処理部１４は、表示すべき第１の画像を表す第１の画像データを取得する。ＲＡＭ１３は、第１の画像に合成するための第２の画像を表す第２の画像データと、水平方向の主走査を垂直方向に順次ずらして行う副走査の向きが、上から下に向う順方向で表示させるか、下から上に向う逆方向で表示させるかが、上下方向に隣接するディスプレイ１０で互いに異なるように予め設定されたスキャン方向情報とを記憶する。
【００５８】
ＣＰＵ１１および映像処理部１４は、ＲＡＭ１３に記憶されるスキャン方向情報が示す向きが順方向であるとき、映像処理部１４によって取得された第１の画像データに、ＲＡＭ１３に記憶される第２の画像データを合成した合成画像データを生成し、ＲＡＭ１３に記憶されるスキャン方向情報が示す向きが逆方向であるとき、映像処理部１４によって取得された第１の画像データに、ＲＡＭ１３に記憶される第２の画像データを、上下方向を反転して合成した合成画像データを生成する。そして、ＬＣＤコントローラ１５は、ＣＰＵ１１および映像処理部１４によって生成された合成画像データが表す合成画像を、ＲＡＭ１３に記憶されるスキャン方向情報が示す向きに副走査を行ってＬＣＤパネル１６に表示させる。したがって、ディスプレイ１０は、上下が反転されて入力される画像の画像データを逆方向に副走査して表示するとき、合成する画像の上下反転を解消することができる。
【００５９】
さらに、ＲＡＭ１３は、映像処理部１４によって取得された第１の画像データを記憶する。ＣＰＵ１１および映像処理部１４は、ＲＡＭ１３に記憶される第２の画像データをＲＡＭ１３に記憶される第１の画像データに上書きすることによって、前記合成画像データを生成する。そして、ＬＣＤコントローラ１５が、ＲＡＭ１３に記憶されるスキャン方向情報が示す向きに垂直方向の副走査を行ってＬＣＤパネル１６に表示させる合成画像は、ＲＡＭ１３に記憶される合成画像データが表す合成画像である。したがって、ディスプレイ１０は、第２の画像データの合成を簡単に行うことができる。
【００６０】
さらに、他のディスプレイ１０と上下方向に隣接して配置されてマルチディスプレイを構成するディスプレイ１０であって、水平方向の主走査と垂直方向の副走査とによって、画像を表示するＬＣＤパネル１６と、表示すべき第１の画像に合成するための第２の画像を表す第２の画像データ、および、水平方向の主走査を、垂直方向に順次ずらして行う副走査の向きが上から下に向う順方向で表示させるか、下から上に向う逆方向で表示させるかが、上下方向に隣接するディスプレイ１０で互いに異なるように予め設定されたスキャン方向情報を記憶するＲＡＭ１３とを含むディスプレイ１０が準備される。
【００６１】
このディスプレイ１０で本実施形態に係る表示方法を実行するにあたって、ステップＡ７，Ａ１１では、第１の画像を表す第１の画像データを取得する。ステップＡ６，Ａ７，Ａ１１では、ＲＡＭ１３に記憶されるスキャン方向情報が示す向きが順方向であるとき、取得ステップで取得された第１の画像データに、ＲＡＭ１３に記憶される第２の画像データを合成した合成画像データを生成し、ＲＡＭ１３に記憶されるスキャン方向情報が示す向きが逆方向であるとき、ステップＡ７，Ａ１１で取得された第１の画像データに、ＲＡＭ１３に記憶される第２の画像データを、上下方向を反転して合成した合成画像データを生成する。
【００６２】
そして、ステップＡ８，Ａ１２では、ステップＡ６，Ａ７，Ａ１１で生成された合成画像データが表す画像を、ＲＡＭ１３に記憶されるスキャン方向情報が示す向きに副走査を行ってＬＣＤパネル１６に表示させる。したがって、表示方法は、上下が反転されて入力される画像の画像データを逆方向に副走査して表示するとき、合成する画像の上下反転を解消することができる。
【符号の説明】
【００６３】
１  表示システム
１０  ディスプレイ
１１  ＣＰＵ
１２  ＲＯＭ
１３  ＲＡＭ
１４  映像処理部
１５  ＬＣＤコントローラ
１６  ＬＣＤパネル
２０  映像出力装置
２１  ＨＵＢ
２２  画像上下反転部
【図１】
2013142868.tif 000003
【図２】
2013142868.tif 000004
【図３】
2013142868.tif 000005
【図４】
2013142868.tif 000006
【図５】
2013142868.tif 000007
【図６】
2013142868.tif 000008
【図７】
2013142868.tif 000009
【図８】
2013142868.tif 000010
【図９】
2013142868.tif 000011
【図１０】
2013142868.tif 000012